(57)【要約】【課題】乗員が前席横のサイドドアから乗降する場合において、乗降の障害となることを抑制可能な車両用物品収納構造を提供する。【解決手段】車両用物品収納構造１０は、前席シート１４とサイドドアとの隙間、かつ前席シート１４のシートクッション１４Ａより車両下方側において車両上下方向に立設する枠状の壁部２２と、壁部２２の車両下方端部に接続されると共に、車両後方に向かうにつれて高さが低くなるように傾斜している底壁２４と、を備えている。壁部２２は、車幅方向に延在し、車両上方端部が後席乗員の足置き３２と連続して形成された後壁と４０、外壁４２の車両前方端部から車両前方側かつ車幅方向内側に向けて延在する斜壁４４と、前壁４６と、を少なくとも備えている。【選択図】図３
2019026131.tif 000002
【特許請求の範囲】
【請求項１】
前席シートとサイドドアとの隙間、かつ前記前席シートのシートクッションより車両下方側において車両上下方向に立設する枠状の壁部と、
前記壁部の車両下方端部に接続されると共に、車両後方に向かうにつれて高さが低くなるように傾斜している底壁と、を備え、
前記壁部は、
車幅方向に延在し、車両上方端部が後席乗員の足置きと連続して形成された後壁と、
前記後壁の車幅方向外側端部から車両前方側に向けて延在する外壁と、
前記外壁の車両前方端部から車両前方側かつ車幅方向内側に向けて延在する斜壁と、
前記斜壁の車両前方端部から車幅方向内側に向けて延在する前壁と、
を少なくとも備えた、車両用物品収納構造。
【発明の詳細な説明】
【技術分野】
【０００１】
本発明は、車両用物品収納構造に関する。
【背景技術】
【０００２】
特許文献１には、シートの側部にアームレストを備えた電動車両において、アームレストの下部に、ドリンクホルダを配設した電動車両のシート構造が開示されている。このドリンクホルダは開口端面がシートの上面と略同一高さ位置に設定されている。
【０００３】
ここで、特許文献１のシート構造においてドリンクホルダ部分を車幅の非常に狭い車両であって、後席乗員が前席横のサイドドアから乗降する車両に適用した場合、ドリンクホルダに飲料容器等が収納されていると後席乗員の乗降時の障害となる。
【先行技術文献】
【特許文献】
【０００４】
【特許文献１】特開２００７−８２８８１号公報
【発明の概要】
【発明が解決しようとする課題】
【０００５】
本発明は、乗員が前席横のサイドドアから乗降する場合において、乗降の障害となることを抑制可能な車両用物品収納構造を提供することを目的とする。
【課題を解決するための手段】
【０００６】
請求項１の車両用物品収納構造は、前席シートとサイドドアとの隙間、かつ前記前席シートのシートクッションより車両下方側において車両上下方向に立設する枠状の壁部と、前記壁部の車両下方端部に接続されると共に、車両後方に向かうにつれて高さが低くなるように傾斜している底壁と、を備え、前記壁部は、車幅方向に延在し、車両上方端部が後席乗員の足置きと連続して形成された後壁と、前記後壁の車幅方向外側端部から車両前方側に向けて延在する外壁と、前記外壁の車両前方端部から車両前方側かつ車幅方向内側に向けて延在する斜壁と、前記斜壁の車両前方端部から車幅方向内側に向けて延在する前壁と、を少なくとも備えている。
【０００７】
請求項１の車両用物品収納構造は、前席シートとサイドドアとの隙間に設けられた物品の収納部に適用される。この車両用物品収納構造では、収納部を形成する壁部の高さを前席シートのシートクッションより車両下方側とすることで、後席乗員が前席横のサイドドアから乗降する場合において収納部が乗降の障害となり辛い。また、壁部の車両前方側かつ車幅方向外側に斜壁を形成することで、前席乗員が前席横のサイドドアから乗降する場合において壁部が乗降の障害となり辛い。
【発明の効果】
【０００８】
本発明によれば、乗員が前席横のサイドドアから乗降する場合において、乗降の障害となることを抑制することができる。
【図面の簡単な説明】
【０００９】
【図１】本発明の実施形態に係る車両用物品収納構造が適用された車両の側面図である。
【図２】本発明の実施形態に係る車両用物品収納構造が適用された車両の前席シート周辺の平面図である。
【図３】本発明の実施形態に係る車両用物品収納構造の斜視図である。
【図４】本発明の実施形態に係る車両用物品収納構造を車幅方向外側から見た側面断面図である。
【図５】本発明の他の実施形態に係る車両用物品収納構造の斜視図である。
【発明を実施するための形態】
【００１０】
以下、本発明の実施形態に係る車両用物品収納構造１０について、図１〜図４を用いて説明する。なお、各図において、矢印ＦＲは車両前方を示し、矢印ＵＰは車両上方を示し、矢印ＲＨは車両右方を示し、矢印ＬＨは車両左方を示している。また、車両用物品収納構造は、基本的に左右対称に構成されているので、車両左方側を図示して説明する。
【００１１】
本実施形態の車両用物品収納構造１０が適用される車両１２は、車幅方向中央に運転席を有する２人乗りの小型自動車である。図１に示されるように、車両前方には運転者が着座する前席シート１４が設けられ、前席シート１４の車両後方側には、後席乗員が着座する後席シート１６が設けられている。前席シート１４は、運転者の臀部を支持するシートクッション１４Ａと、背部を支持するシートバック１４Ｂと、頭部を支持可能なヘッドレスト１４Ｃと、を含んで構成されている。本実施形態のシートバック１４Ｂはリクライニング機能を有しており、着座する運転者の背部の角度を調整可能とされている。また、シートバック１４Ｂは、後席乗員が乗降する際、車両前方に前傾可能とされている。
【００１２】
本実施形態の車両１２は２ドアタイプであって、前席シート１４の車幅方向両側には、運転者及び後席乗員が乗降するためのサイドドア開口部３４が設けられている。サイドドア開口部３４の車両前方側には、車両上下方向に軸を有するドアヒンジ（図示せず）が設けられており、当該ドアヒンジに対してサイドドア１８の車両前方部が支持されている。つまり、サイドドア１８は車両前方側に設けられたドアヒンジを軸に車両後方側が車幅方向に開閉可能とされている。
【００１３】
ここで、本実施形態の車両１２は、電動式の小型自動車であって、前席シート１４の車両下方側にバッテリが収納されるバッテリボックス３６を備えている。このバッテリボックス３６は、フロア３０よりも一段高い位置に設けられている。
【００１４】
図２に示されるように、本実施形態の車両１２には、前席シート１４と左右のサイドドア１８との隙間に、それぞれ車両用物品収納構造１０により構成された収納部２０が設けられている。本実施形態の収納部２０は、前席シート１４をフロア３０固定するためのブラケット５０，５２の上部を覆うように設けられている（図４参照）。ここで、収納部２０は、例えば、飲料容器としてのペットボトルＰを収納可能なスペースであって、左右対称に形成されている。図２では、車幅方向右側の収納部２０にペットボトルＰが収納されている。収納部２０は、車幅方向が前席シート１４とサイドドア１８との隙間に収まる範囲にあり、車両前後方向がシートクッション１４Ａの車両前方端部から車両後方端部の範囲にある。また、図１に示されるように、収納部２０は、車両上下方向がフロア３０からシートクッション１４Ａの範囲にある。以下、前席シート１４の車幅方向両端に設けられた収納部２０のうち、車幅方向左側の収納部２０を例に、その構造を説明する。
【００１５】
図２及び図３に示されるように、収納部２０は、車両上下方向に立設する枠状の壁部２２と、壁部２２の車両下方端部に接続される収納部２０の底を形成する底壁２４と、を備えている。図４に示されるように、底壁２４は車両後方に向かうにつれて車両上下方向の高さが低くなるように傾斜している。詳しくは、本実施形態の底壁２４は、前端から後述する仕切板２６までは水平（フロア３０と略平行）であり、仕切板２６から後端に向かうにつれ高さが低くなるように傾斜している。なお、底壁２４は、前端から後端にかけて一定の角度で傾斜していてもよい。
【００１６】
図２及び図３に示されるように、壁部２２は、車幅方向に延在する後壁４０と、後壁４０の車幅方向外側端部から車両前方側に向けて延在する外壁４２と、外壁４２の車両前方端部から車両前方側かつ車幅方向内側に向けて延在する斜壁４４と、を備えている。また、壁部２２は、斜壁４４の車両前方端部から車幅方向内側に向けて延在する前壁４６と、前壁４６の車幅方向内側端部から後壁４０の車幅方向内側端部まで、車両前後方向に延在する内壁４８と、を備えている。ここで、本実施形態の内壁４８は、バッテリボックス３６の側壁３８の一部とされている。
【００１７】
また、収納部２０には、前壁４６と後壁４０との間であって、底壁２４の水平部分において、外壁４２と内壁４８とを接続する仕切板２６が形成されている。この仕切板２６の車幅方向中央には、半円状に欠いた係止部２６Ａが形成されている。係止部２６Ａの内径は、収納部２０にペットボトルＰを収納した際に、ペットボトルＰのボトルネックが収まる寸法とされている（図４参照）。
【００１８】
さらに、本実施形態の後壁４０は車両上方端部が後席乗員の足置き３２と連続して形成されている。図２及び４に示されるように、足置き３２は後席乗員が後席シート１６に着座した際に靴Ｓが載置される場所となる（二点鎖線参照）。足置き３２の車両前方端部であって、後壁４０の車両上方端部に相当する箇所には、足置き３２に対して上方に突出した突出部３２Ａが形成されている。また、足置き３２は突出部３２Ａ側から車両後方に向かうにつれて緩やかに高さが低くなるように傾斜している。
【００１９】
（まとめ）
本実施形態の車両用物品収納構造１０の特徴と効果についてまとめると以下のとおりである。
【００２０】
第１の特徴は、収納部２０を、前席シート１４とサイドドア１８との隙間、かつシートクッション１４Ａより車両下方側に設けた点である。第１の特徴によれば、前席シート１４横のデッドスペースを活用すると共に、高さを抑えることで、後席乗員がサイドドア１８から乗降する場合において、収納部２０が乗降の障害となることを抑制することができる。
【００２１】
なお、車幅方向中央に運転席を有する２人乗りの小型自動車において、本実施形態のような車両用物品収納構造１０を適用するメリットを補足すると、次のとおりである。まず前提として、２人乗りの小型自動車においては、飲料容器等などを収納するスペースがそもそも小さい。また、コストや重量の観点から、サイドドアにトリムやポケットを設けない場合がある。したがって、本実施形態のように、前席シート横のデッドスペースを活用することにより、乗員の居住空間を狭めることなく収納スペースを提供することができる。また、フロアや足置きの一部を収納部とすることができるため、新たな構造物を付加する必要がない。そのため、コストや重量の増大を抑えることができる。
【００２２】
第２の特徴は、図４に示されるように、収納部２０において前壁４６の他に、係止部２６Ａを有する仕切板２６と、車両後方に向かうにつれて高さが低くなるように傾斜する底壁２４を設けた点である。第２の特徴によれば、収納部２０にペットボトルＰを収納した際、車両１２に急ブレーキが掛けられた場合であってもペットボトルＰのフロア３０、すなわち、運転者の足元への飛び出しを抑制することができる。補足すると、ペットボトルＰに車両前方への加速度が発生した場合、前壁４６が障壁になるのは勿論のこと、係止部２６ＡによりペットボトルＰの胴部が係止される。また、底壁２４は車両後方に向かうにつれて高さが低くなるように、換言すると、車両前方に向かうにつれて高さが高くなるように傾斜しているため、ペットボトルＰに車両前方への加速度が発生した場合における、車両前方への移動が抑制される。
【００２３】
なお、本実施形態では底壁２４を傾斜させることで、ペットボトルＰを立てて収納することを困難にしている。したがって、立てた状態のペットボトルＰが後席乗員の乗降の際の障害となることを抑制することができる。また、本実施形態の仕切板２６は、収納部２０にペットボトルＰを収納しない場合においても、収納部２０のスペースを分割する機能を有している。
【００２４】
第３の特徴は、収納部２０の仕切板２６よりも車両前方側の壁部２２において、斜壁４４を設けた点である。図２に示されるように、平面視において収納部２０は、斜壁４４を設けた結果、矩形箱形の収納スペースに対して、車両前方側かつ車幅方向外側の角部が面取りされた形状とされている。図２の車幅方向右側の収納部２０にように、車両前後方向において、斜壁４４が設けられた箇所は、ペットボトルＰのボトルネックが収まる部分とされている。そのため、斜壁４４はペットボトルＰの収納を阻害することはない。第３の特徴によれば、斜壁４４を設けたことにより、前席シート１４に着座する運転者が乗降する場合において、収納部２０（壁部２２）が乗降の障害となることを抑制することができる。
【００２５】
第４の特徴は、車両後方に向かうにつれて高さが低くなるように傾斜する足置き３２や、足置き３２から突出する突出部３２Ａを後壁４０に連続して形成した点である。第４の特徴によれば、雨天時などにおいて、後席乗員の靴Ｓに付着した水が収納部２０に入ることを抑制することができる。また、足置き３２に対して、後席乗員の足を車両前後方向に保持する機能を与えることができる。
【００２６】
（補足）
本実施形態では、仕切板２６を壁部２２及び底壁２４と一体に形成させたが、仕切板２６は壁部２２や底壁２４と別体に形成してもよい。すなわち、収納部２０に対して仕切板２６を取り外し可能に形成してもよい。仕切板２６を取り外し可能とすることで、収納部２０に対してペットボトルＰを収納する以外に種々の物を収納させることができる。
【００２７】
なお、図５に示されるように、他の実施形態として、収納部２０に対して内壁４８の上端を軸とする蓋２８を設定してもよい。蓋２８を設けることにより、車両１２の外部から収納部２０の内部を視認することを防ぐことができる。そして、収納部２０に収納した物を特定できなくすることで、盗難を抑制することができる。蓋２８の開閉軸については、内壁４８の上端とする場合に限らず、外壁４２、後壁４０または前壁４６の上端に形成してもよい。
【符号の説明】
【００２８】
１０    車両用物品収納構造
１４    前席シート
１４Ａ  シートクッション
１８    サイドドア
２２    壁部
２４    底壁
３２    足置き
４０    後壁
４２    外壁
４４    斜壁
４６    前壁
【図１】
2019026131.tif 000003
【図２】
2019026131.tif 000004
【図３】
2019026131.tif 000005
【図４】
2019026131.tif 000006
【図５】
2019026131.tif 000007